(57)【要約】【課題】小型化を図りつつ、より簡素な構成とすることのできるコネクタを得る。【解決手段】コネクタ１は、電線１Ａが接続される複数の端子１３と、端子１３が挿入される空間Ｓ２，Ｓ３が複数形成されたハウジング１０と、ハウジング１０に装着されて端子１３のハウジング１０からの抜けを規制するリテーナ１４と、を備えている。また、端子１３は、端子１３の空間Ｓ２，Ｓ３への挿入方向に延在する周壁を有する端子本体部１３１と、端子本体部１３１の挿入方向一方側に連設される接点部１３３と、端子本体部１３１の挿入方向他方側に連設され、電線１Ａが接続される電線接続部１３４と、を備えている。そして、挿入方向が水平方向となり、接点部１３３が下側に位置するように端子１３を配置した場合に、端子１３の周壁に、上方に開口する第１挿通孔１３１ｆと、下方に開口する第２挿通孔１３１ｇと、を形成した。【選択図】図１５
2019192613.tif 000002
【特許請求の範囲】
【請求項１】
電線が接続される複数の端子と、
前記端子が挿入される空間が複数形成されたハウジングと、
前記ハウジングに装着されて前記端子の前記ハウジングからの抜けを規制するリテーナと、
を備え、
前記端子は、
前記端子の前記空間への挿入方向に延在する周壁を有する端子本体部と、
前記端子本体部の前記挿入方向一方側に連設される接点部と、
前記端子本体部の前記挿入方向他方側に連設され、前記電線が接続される電線接続部と、
を備え、
前記接点部は、前記挿入方向に沿って視た状態で、前記挿入方向に延在させた前記電線の中心から外れた位置に形成されており、
前記空間は、前記挿入方向が水平方向となるように配置した前記ハウジングの上側および下側にそれぞれ形成される第１空間および第２空間を備えており、
前記第１空間に挿入される前記端子は、前記第１空間が前記第２空間の上方に位置するように前記ハウジングを配置した場合に、前記接点部を下側に位置させた状態で前記第１空間に挿入されており、
前記第２空間に挿入される前記端子は、前記第１空間が前記第２空間の上方に位置するように前記ハウジングを配置した場合に、前記接点部を上側に位置させた状態で前記第２空間に挿入されており、
前記挿入方向が水平方向となり、前記接点部が下側に位置するように前記端子を配置した場合に、前記端子の前記周壁には、上方に開口する第１挿通孔と、下方に開口する第２挿通孔と、が形成されており、
前記リテーナは、前記第１空間が前記第２空間の上方に位置するように前記ハウジングを配置した場合に、前記ハウジングに上下方向にスライド可能に装着されるリテーナ本体を備えており、
前記リテーナ本体には、前記リテーナ本体を前記上下方向の一方側にスライドさせた際に、前記第１空間に挿入された前記端子の抜けを規制する第１規制突部と、前記第２空間に挿入された前記端子の抜けを規制する第２規制突部と、が形成されており、
前記リテーナ本体を前記一方側にスライドさせた際に、前記第１規制突部が前記第１挿通孔および前記第２挿通孔のうちのいずれか一方に挿入され、前記第２規制突部が他方に挿入されることを特徴とするコネクタ。
【請求項２】
前記ハウジングを前記挿入方向に沿って視た状態で、前記第１空間と前記第２空間とが千鳥状に形成されていることを特徴とする請求項１に記載のコネクタ。
【発明の詳細な説明】
【技術分野】
【０００１】
本開示は、コネクタに関する。
【背景技術】
【０００２】
従来、コネクタとして、電線が接続される端子と、端子が挿入される空間が複数形成されたハウジングと、ハウジングに装着されて端子のハウジングからの抜けを規制するリテーナと、を備えるものが知られている（例えば、特許文献１参照）。
【０００３】
この特許文献１では、ハウジングに装着されたリテーナを係止位置に移動させ、リテーナに形成された係止突部をハウジング内に挿入された端子に係止させることで、リテーナによる端子の抜け止めがなされるようにしている。
【０００４】
さらに、特許文献１では、ハウジングに、幅方向に複数並設された空間群を上下に２つ形成し、ほぼ同一の形状をした複数の端子を上下の空間にそれぞれ挿入している。このとき、上側の空間および下側の空間には、互いに反転させた状態の端子がそれぞれ挿入されている。そして、２つのリテーナをハウジングの上下に装着し、それぞれのリテーナを係止位置に移動させることで、上側の空間に挿入された端子および下側の空間に挿入された端子のそれぞれがリテーナに係止され、各端子の抜け止めがなされるようにしている。
【先行技術文献】
【特許文献】
【０００５】
【特許文献１】特開２００５−３２２６５８号公報
【発明の概要】
【発明が解決しようとする課題】
【０００６】
上記従来の技術のように、ハウジングの上下に端子を挿入する構造とすれば、コネクタの幅方向の小型化を図ることができる。さらに、互いに反転させた状態の端子を上下の空間にそれぞれ挿入することで、コネクタの高さが高くなってしまうことを抑制することが可能となる。
【０００７】
しかしながら、ハウジングの上下に端子を互いに反転させた状態で挿入すると、ハウジングの上下に２つのリテーナを装着する必要があり、コネクタの構造が複雑化してしまう。
【０００８】
このように、従来の技術では、構造を複雑化させることなくコネクタの小型化を図ることができなかった。
【０００９】
そこで、本開示は、小型化を図りつつ、より簡素な構成とすることのできるコネクタを得ることを目的とする。
【課題を解決するための手段】
【００１０】
本開示にかかるコネクタは、電線が接続される複数の端子と、前記端子が挿入される空間が複数形成されたハウジングと、前記ハウジングに装着されて前記端子の前記ハウジングからの抜けを規制するリテーナと、を備えている。また、前記端子は、前記端子の前記空間への挿入方向に延在する周壁を有する端子本体部と、前記端子本体部の前記挿入方向一方側に連設される接点部と、前記端子本体部の前記挿入方向他方側に連設され、前記電線が接続される電線接続部と、を備えている。そして、前記接点部は、前記挿入方向に沿って視た状態で、前記挿入方向に延在させた前記電線の中心から外れた位置に形成されており、前記空間は、前記挿入方向が水平方向となるように配置した前記ハウジングの上側および下側にそれぞれ形成される第１空間および第２空間を備えている。また、前記第１空間に挿入される前記端子は、前記第１空間が前記第２空間の上方に位置するように前記ハウジングを配置した場合に、前記接点部を下側に位置させた状態で前記第１空間に挿入されている。また、前記第２空間に挿入される前記端子は、前記第１空間が前記第２空間の上方に位置するように前記ハウジングを配置した場合に、前記接点部を上側に位置させた状態で前記第２空間に挿入されている。さらに、前記挿入方向が水平方向となり、前記接点部が下側に位置するように前記端子を配置した場合に、前記端子の前記周壁には、上方に開口する第１挿通孔と、下方に開口する第２挿通孔と、が形成されている。また、前記リテーナは、前記第１空間が前記第２空間の上方に位置するように前記ハウジングを配置した場合に、前記ハウジングに上下方向にスライド可能に装着されるリテーナ本体を備えている。また、前記リテーナ本体には、前記リテーナ本体を前記上下方向の一方側にスライドさせた際に、前記第１空間に挿入された前記端子の抜けを規制する第１規制突部と、前記第２空間に挿入された前記端子の抜けを規制する第２規制突部と、が形成されている。そして、前記リテーナ本体を前記一方側にスライドさせた際に、前記第１規制突部が前記第１挿通孔および前記第２挿通孔のうちのいずれか一方に挿入され、前記第２規制突部が他方に挿入される。
【発明の効果】
【００１１】
本開示によれば、小型化を図りつつ、より簡素な構成とすることのできるコネクタを得ることができる。
【図面の簡単な説明】
【００１２】
【図１】コネクタセットの一例を示す図であって、ケーブルに実装されたプラグコネクタと電線に接続されたレセプタクルコネクタとに分解して示す斜視図である。
【図２】コネクタセットの一例を示す図であって、ケーブルに実装されたプラグコネクタと電線に接続されたレセプタクルコネクタとを嵌合させた状態を示す斜視図である。
【図３】一例として示したコネクタセットのプラグコネクタ側の端子とレセプタクルコネクタ側の端子との接触状態を示す図であって、（ａ）は、プラグコネクタ側の第１端子とレセプタクルコネクタ側の端子との接触状態を示す斜視図、（ｂ）は、プラグコネクタ側の第２端子とレセプタクルコネクタ側の端子との接触状態を示す斜視図である。
【図４】一例として示したコネクタセットが備えるレセプタクルコネクタおよび電線を分解して示す斜視図である。
【図５】一例として示したレセプタクルコネクタが備えるレセプタクルハウジングを示す図であって、（ａ）は、前側から視た斜視図、（ｂ）は、後側から視た斜視図である。
【図６】一例として示したレセプタクルコネクタが備えるレセプタクルハウジングを示す図であって、（ａ）は、平面図、（ｂ）は、裏面図である。
【図７】一例として示したレセプタクルコネクタが備えるレセプタクルハウジングを示す図であって、（ａ）は、正面図、（ｂ）は、背面図、（ｃ）は、側面図、（ｄ）は、側断面図である。
【図８】一例として示したレセプタクルコネクタが備えるリテーナを示す図であって、（ａ）は、前側から視た斜視図、（ｂ）は、後側から視た斜視図である。
【図９】一例として示したレセプタクルコネクタが備えるリテーナを示す図であって、（ａ）は、平面図、（ｂ）は、裏面図、（ｃ）は、正面図、（ｄ）は、背面図、（ｅ）は、側面図、（ｆ）は、側断面図である。
【図１０】一例として示したレセプタクルコネクタが備える端子を模式的に示す図であって、（ａ）は、表側から視た斜視図、（ｂ）は、裏側から視た斜視図である。
【図１１】一例として示したレセプタクルコネクタが備える端子を示す図であって、（ａ）は、平面図、（ｂ）は、側面図、（ｃ）は、裏面図、（ｄ）は、正面図、（ｅ）は、背面図である。
【図１２】一例として示したレセプタクルコネクタのレセプタクルハウジングにリテーナを一部突出するように取り付けた状態を示す斜視図である。
【図１３】図１２の状態で端子をレセプタクルハウジングに挿入した状態を示す斜視図である。
【図１４】図１３に示す状態におけるリテーナと端子との関係を示す斜視図である。
【図１５】リテーナをレセプタクルハウジングに収容した状態におけるリテーナと端子との関係を示す斜視図である。
【図１６】図１３に示す状態におけるリテーナと上側の端子との関係を示す側断面図である。
【図１７】リテーナをレセプタクルハウジングに収容した状態におけるリテーナと上側の端子との関係を示す側断面図である。
【図１８】図１３に示す状態におけるリテーナと下側の端子との関係を示す側断面図である。
【図１９】リテーナをレセプタクルハウジングに収容した状態におけるリテーナと下側の端子との関係を示す側断面図である。
【発明を実施するための形態】
【００１３】
以下、本開示の実施形態について図面を参照しながら詳細に説明する。以下では、ハウジングに収容された端子が並設される方向を幅方向（Ｙ方向）とし、ハウジング内への端子の挿入方向を前後方向（Ｘ方向）として説明する。そして、幅方向（Ｙ方向）および前後方向（Ｘ方向）と交差する方向を上下方向（Ｚ方向）として説明する。
【００１４】
そして、ハウジングのリテーナが挿入される側を上下方向の上方と規定し、コネクタ同士を嵌合させる際に相手側コネクタと対向する側を前後方向の前方と規定する。
【００１５】
［コネクタセットの構成例］
本実施形態にかかるレセプタクルコネクタ（コネクタ）１は、図１〜３に示すコネクタセットＣ１などで用いられるものである。
【００１６】
コネクタセットＣ１は、図１，図２に示すように、上述したレセプタクルコネクタ１に嵌合するプラグコネクタ２を備えている。
【００１７】
本実施形態では、プラグコネクタ２は、プラグハウジング２１と、プラグハウジング２１に収容保持される端子２３，２４と、を備えている。そして、プラグコネクタ２は、ＦＰＣやＦＦＣ等のケーブル（被接続部材）２Ａに実装可能に形成されている。すなわち、プラグコネクタ２が備える端子２３，２４をケーブル２Ａの導体部２ａＡに電気的に接続する（実装する）ことで、プラグコネクタ２がケーブル２Ａに実装されるようになっている。
【００１８】
一方、レセプタクルコネクタ１は、プラグハウジング２１が嵌合するレセプタクルハウジング１０と、レセプタクルハウジング１０に収容保持される複数の中継端子１３と、を備えている。そして、各中継端子１３には、電線１Ａの導体部１ｂＡがそれぞれ電気的に接続されている。本実施形態では、電線１Ａが接続された中継端子３３をレセプタクルハウジング１０に収容保持させることでレセプタクルコネクタ１を形成している。
【００１９】
そして、プラグコネクタ２をレセプタクルコネクタ１に嵌合させて、端子２３，２４と中継端子１３とを導通接続させることで、ケーブル２Ａと電線１Ａとを電気的に接続させるコネクタセットＣ１を形成している（図２，図３参照）。
【００２０】
［レセプタクルコネクタ１の構成例］
次に、レセプタクルコネクタ１の構成の一例を、図４〜図１９に基づき説明する。
【００２１】
レセプタクルコネクタ１は、図４に示すように、電線１Ａが接続される複数の中継端子１３と、中継端子１３が挿入される空間が複数形成されたレセプタクルハウジング１０と、を備えている。さらに、レセプタクルコネクタ１は、レセプタクルハウジング１０に装着されて中継端子１３のレセプタクルハウジング１０からの抜けを規制するリテーナ１４を備えている。
【００２２】
レセプタクルハウジング１０は、剛性を有しており、例えば、絶縁性の樹脂材料を用いて形成することができる。
【００２３】
このレセプタクルハウジング１０は、図５〜図７に示すように、略直方体状の前側ハウジング１１と、この前側ハウジング１１の後端に連設される略直方体状の後側ハウジング１２と、を備えている。本実施形態では、後側ハウジング１２は、前側ハウジング１１よりも一回り小さく形成されており、レセプタクルハウジング１０は、全体として、大きさの異なる２つの直方体を連結させたような形状をしている。
【００２４】
前側ハウジング１１は、天壁１１１と、底壁１１２と、天壁１１１および底壁１１２の幅方向（Ｙ方向）の両端をそれぞれ連設する一対の側壁１１３と、天壁１１１、底壁１１２および側壁１１３，１１３の後端に連設された後壁１１４と、を備えている。
【００２５】
そして、天壁１１１の幅方向中央部には、プラグコネクタ２のロック部２２が挿入される空間が形成されている（図１および図２参照）。具体的には、天壁１１１における幅方向略中央部に、操作部２２１ａを有するレバー部２２１を収容する収容部１１１ａが形成されている。そして、収容部１１１ａの前後方向の中央部には、レバー部２２１に形成された係合突部２２１ｂが係合する被係合部（係合孔）１１１ｂが形成されている。また、収容部１１１ａの幅方向両側には、ガイド壁部２１１ａが挿入されるガイド溝１１１ｃが形成されている。
【００２６】
また、前側ハウジング１１には、前方（プラグコネクタ２側）に開口する嵌合空間Ｓ１が形成されている。この嵌合空間Ｓ１は、プラグコネクタ２が挿入嵌合される空間で、天壁１１１、底壁１１２、一対の側壁１１３，１１３および後壁１１４によって画成されている。
【００２７】
一方、後側ハウジング１２は、天壁１２１と、底壁１２２と、天壁１２１および底壁１２２の幅方向（Ｙ方向）の両端をそれぞれ連設する一対の側壁１２３と、天壁１２１、底壁１２２および側壁１２３，１２３の前端に連設された前壁１２４と、を備えている。
【００２８】
そして、本実施形態では、前側ハウジング１１の後壁１１４と後側ハウジング１２の前壁１２４とが一体化されており、後壁１１４と前壁１２４とで、レセプタクルハウジング１０を前後に区画する隔壁１００が形成されている。
【００２９】
また、後側ハウジング１２は、一対の側壁１２３に連設されて、天壁１２１、底壁１２２および側壁１２３，１２３で画成された空間を上下に仕切る仕切り壁１２５を備えている。
【００３０】
さらに、後側ハウジング１２は、天壁１２１および仕切り壁１２５に連設された上側隔壁１２６を複数備えており、この上側隔壁１２６によって、仕切り壁１２５で仕切られた上側の空間が複数の空間に仕切られている。また、後側ハウジング１２は、底壁１２２および仕切り壁１２５に連設された下側隔壁１２７を複数備えており、この下側隔壁１２７によって、仕切り壁１２５で仕切られた下側の空間が複数の空間に仕切られている。
【００３１】
また、隔壁１００には、嵌合空間Ｓ１と後側ハウジング１２に形成された空間とを連通する貫通孔１００ａが形成されている。この貫通孔１００ａは、レセプタクルハウジング１０を前後方向に沿って視た場合に、上側隔壁１２６や下側隔壁１２７によって仕切られた空間と対応する部位に形成されている。すなわち、レセプタクルハウジング１０には、前後方向に貫通する複数の空間が形成されている。そして、前後方向に貫通する空間内に、中継端子１３がそれぞれ挿入されるようになっている。
【００３２】
このように、本実施形態では、後側ハウジング１２の後端部に、幅方向（Ｙ方向）に複数並設された空間が上下方向（Ｚ方向）に２段形成されるようにしている。さらに、後側ハウジング１２を前後方向の後方から視たときに、複数の空間が千鳥状に形成されるようにしている。こうすることで、レセプタクルコネクタ１の幅方向の小型化を図っている。
【００３３】
具体的には、後側ハウジング１２の後端部の上側に、天壁１２１、仕切り壁１２５および上側隔壁１２６によって画成された空間が幅方向（Ｙ方向）に複数並設されている。そして、この後側ハウジング１２の上側に形成された空間が、中継端子１３が挿入される第１空間Ｓ２となっている。
【００３４】
一方、後側ハウジング１２の後端部の下側には、底壁１２２、仕切り壁１２５および下側隔壁１２７によって画成された空間が幅方向（Ｙ方向）に複数並設されている。そして、この後側ハウジング１２の下側に形成された空間が、中継端子１３が挿入される第２空間Ｓ３となっている。
【００３５】
さらに、本実施形態では、上側隔壁１２６と下側隔壁１２７とが幅方向にずれた位置に形成されている。すなわち、中継端子１３の挿入方向が水平方向となるようにレセプタクルハウジング１０を配置した状態における平面視で、第１空間Ｓ２の一部と第２空間Ｓ３の一部とが重なり合っている。
【００３６】
そして、第１空間Ｓ２の後端側の開口から中継端子１３が前方に向けて挿入されるようになっており、この第１空間Ｓ２の後端側の開口が挿入口Ｓ２ａとなっている。また、第１空間Ｓ２の前端側の開口（貫通孔１００ａ）は、中継端子１３が抜け落ちないように、挿入口Ｓ２ａよりも小さくなっている。すなわち、挿入口Ｓ２ａから挿入された中継端子１３の前方への移動が、隔壁１００によって規制されるようにしている。なお、第１空間Ｓ２の前端側の開口（貫通孔１００ａ）は、中継端子１３の略棒状の接点部１３３が挿入される挿入孔Ｓ２ｂとなっている。
【００３７】
同様に、第２空間Ｓ３の後端側の開口から中継端子１３が前方に向けて挿入されるようになっており、この第２空間Ｓ３の後端側の開口が挿入口Ｓ３ａとなっている。また、第２空間Ｓ３の前端側の開口（貫通孔１００ａ）は、中継端子１３が抜け落ちないように、挿入口Ｓ３ａよりも小さくなっている。すなわち、挿入口Ｓ３ａから挿入された中継端子１３の前方への移動が、隔壁１００によって規制されるようにしている。なお、第２空間Ｓ３の前端側の開口（貫通孔１００ａ）は、中継端子１３の略棒状の接点部１３３が挿入される挿入孔Ｓ３ｂとなっている。
【００３８】
また、天壁１２１の下部には、前後方向および下方に開口する溝部１２１ａが第１空間Ｓ２に連通するように形成されている。この溝部１２１ａは、後述する中継端子１３の突片１３１ｄの先端が挿入されて、中継端子１３の第１空間Ｓ２への挿入をガイドするものである。本実施形態では、溝部１２１ａは、図７（ｂ）に示す状態で、第１空間Ｓ２の幅方向の片側（右側）に形成されている。そして、中継端子１３の第１空間Ｓ２への挿入開始から挿入完了状態に至るまでの間に、中継端子１３の突片１３１ｄの先端が溝部１２１ａを通過するように形成されている。
【００３９】
同様に、底壁１２２の下部には、前後方向および上方に開口する溝部１２２ａが第２空間Ｓ３に連通するように形成されている。この溝部１２２ａも、中継端子１３の突片１３１ｄの先端が挿入されて、中継端子１３の第２空間Ｓ３への挿入をガイドするものである。本実施形態では、溝部１２２ａは、図７（ｂ）に示す状態で、第２空間Ｓ３の幅方向の片側（左側）に形成されている。そして、中継端子１３の第２空間Ｓ３への挿入開始から挿入完了状態に至るまでの間に、中継端子１３の突片１３１ｄの先端が溝部１２２ａを通過するように形成されている。
【００４０】
このように、本実施形態では、第２空間Ｓ３は、レセプタクルハウジング１０を前後方向の後方から視たときに、第１空間Ｓ２を反転（１８０度回転）させた形状をしている。
【００４１】
また、天壁１２１には、上下方向および前方に開口する切り欠き１２１ｃが第１空間Ｓ２に連通するように形成されており、この切り欠き１２１ｃ内に、前方に突出して上下方向に弾性変形可能な突き当て片１２１ｂが形成されている。この突き当て片１２１ｂは、中継端子１３を第１空間Ｓ２に挿入させた状態（挿入完了状態）で、後述する中継端子１３の抜け止め片１３１ｅが突き当たることで、電線１Ａが接続された中継端子１３が抜けてしまうのを抑制するものである（図１６，図１７参照）。
【００４２】
同様に、底壁１２２には、上下方向および前方に開口する切り欠き１２２ｃが第２空間Ｓ３に連通するように形成されており、この切り欠き１２２ｃ内に、前方に突出して上下方向に弾性変形可能な突き当て片１２２ｂが形成されている。この突き当て片１２２ｂも、中継端子１３を第２空間Ｓ３に挿入させた状態（挿入完了状態）で、中継端子１３の抜け止め片１３１ｅが突き当たることで、電線１Ａが接続された中継端子１３が抜けてしまうのを抑制するものである（図１８，図１９参照）。
【００４３】
さらに、本実施形態では、後側ハウジング１２の前部に、リテーナ１４がスライド可能に挿入されるリテーナ収容空間Ｓ４が形成されている。リテーナ収容空間Ｓ４は、第１空間Ｓ２が第２空間Ｓ３の上方に位置するように後側ハウジング１２を配置した場合に、上方に開口するように形成されている。すなわち、第１空間Ｓ２が第２空間Ｓ３の上方に位置するように後側ハウジング１２を配置した状態で、リテーナ１４が上方からリテーナ収容空間Ｓ４に挿入されるようになっている。このとき、リテーナ１４は、リテーナ収容空間Ｓ４に、上下方向（中継端子１３のレセプタクルハウジング１０への挿入方向と交差する方向）にスライド可能に収容されている。
【００４４】
このリテーナ１４は、第１空間Ｓ２が第２空間Ｓ３の上方に位置するように後側ハウジング１２を配置した場合に、後側ハウジング１２に上下方向にスライド可能に装着されるリテーナ本体１４０を備えている。
【００４５】
本実施形態では、リテーナ本体１４０は、天壁１４１と、底壁１４２と、天壁１４１および底壁１４２の幅方向（Ｙ方向）の両端をそれぞれ連設する一対の側壁１４３と、を備えている。
【００４６】
また、リテーナ本体１４０は、天壁１４１および底壁１４２に連設される隔壁１４４を複数備えている。このように、隔壁１４４の隔壁１４４を設けることで、リテーナ本体１４０に、天壁１４１、底壁１４２および隣りあう隔壁１４４，１４４によって画成され、前後方向に貫通する挿通孔１４５が幅方向に複数並設されるようにしている。そして、各挿通孔１４５は、リテーナ本体１４０をリテーナ収容空間Ｓ４に収容した状態で、第１空間Ｓ２と連通するように形成されている。したがって、中継端子１３は、第１空間Ｓ２に挿入される際に挿通孔１４５にも挿通されることになる。
【００４７】
また、本実施形態では、側壁１４３が、前後方向の後方に延在する後側延設部１４３ａと、上下方向の下方に延在する下側延設部１４３ｂと、を備えている。こうすることで、リテーナ本体１４０をリテーナ収容空間Ｓ４に収容する際や、リテーナ収容空間Ｓ４に収容したリテーナ本体１４０を上下にスライドさせる際等に、リテーナ本体１４０が幅方向や前後方向に動いてしまうのを抑制できるようにしている。
【００４８】
また、天壁１４１の下部には、下方に突出する第１規制突起１４１ａが、挿通孔１４５内に配置されるように形成されている。この第１規制突起１４１ａは、リテーナ本体１４０をスライドさせた際に、第１空間Ｓ２に挿入された中継端子１３の抜けを規制するものである。
【００４９】
また、第１規制突部１４１ａの後端には、延設突部１４１ｂが一体に連設されており、この延設突部１４１ｂは、下面が抜け止め片１３１ｅの上面の形状に沿うように形成されている。
【００５０】
そして、天壁１４１の下部には、後方および下方に開口する溝部１４５ａが挿通孔１４５に連通するように形成されている。この溝部１４５ａには、中継端子１３を第１空間Ｓ２に挿入させた状態（挿入完了状態）で、中継端子１３の突片１３１ｄの先端が挿入されるようになっている。そして、中継端子１３の突片１３１ｄが、リテーナ本体１４０の上下方向へのスライドをガイドしている。本実施形態では、溝部１４５ａは、図９（ｃ）に示す状態で、挿通孔１４５の幅方向の片側（左側）に形成されている。
【００５１】
さらに、本実施形態では、底壁１４２の下部には、下方に突出する第２規制突起１４２ａが形成されている。この第２規制突起１４２ａは、第１規制突起１４１ａと同じ方向に突出しており、リテーナ本体１４０をスライドさせた際に、第２空間Ｓ３に挿入された中継端子１３の抜けを規制するものである。
【００５２】
中継端子１３は、導電性を有しており、レセプタクルハウジング１０の幅方向（Ｙ方向）に複数並設された中継端子群が上下に２つ形成されるように、レセプタクルハウジング１０に保持されている。この中継端子１３は、図１０および図１１に示すように、１枚の帯板状の金属部材を板厚方向に曲げた形状をしている。このような中継端子１３は、例えば、帯板状の金属部材に曲げ加工を施すことで形成することができる。
【００５３】
また、中継端子１３は、前後方向（中継端子１３の空間への挿入方向）に延在する周壁を有する端子本体部１３１と、端子本体部１３１の前後方向の前側（一方側）に連設される接点部１３３と、を備えている。本実施形態では、接点部１３３は、略棒状をしており、前方に向かうにつれて径が小さくなるように形成された連結部１３２を介して端子本体部１３１に連結されている。
【００５４】
また、中継端子１３は、端子本体部１３１の前後方向の後側（他方側）に連設され、電線１Ａが接続される電線接続部１３４を備えている。
【００５５】
電線１Ａは、可撓性を有しており、絶縁性材料で形成された被覆部１ａＡと、被覆部１ａＡによって被覆された導体部１ｂＡと、を備えている。そして、電線１Ａは、中継端子１３に接続される側の先端で、導体部１ｂＡを露出させている。
【００５６】
そして、電線接続部１３４を露出させた導体部１ｂＡに電気的に接続させることで、電線１Ａの導体部１ｂＡと中継端子１３とを導通接続させている。電線接続部１３４は、端子本体部１３１側に形成されて導体部１ｂＡにカシメ固定される導体カシメ部１３４ａと、導体カシメ部１３４ａよりも端子本体部１３１から離れた位置に形成され、被覆部１ａＡにカシメ固定される電線カシメ部１３４ｂと、を備えている。
【００５７】
さらに、中継端子１３は、電線カシメ部１３４ｂよりも端子本体部１３１から離れた位置に形成され、電線１Ａが接続された中継端子１３の空間への挿入をガイドするガイド片１３５が形成されている。
【００５８】
端子本体部１３１は、底壁１３１ａと、底壁１３１ａの幅方向両端に連設される一対の側壁１３１ｂと、側壁１３１ｂに連設され、底壁１３１ａの上方を覆う天壁１３１ｃと、を備えている。
【００５９】
本実施形態では、底壁１３１ａ、一対の側壁１３１ｂ，１３１ｂおよび天壁１３１ｃが周壁に相当しており、端子本体部１３１は、略全周が周壁で覆われた略箱形をしている。
【００６０】
また、側壁１３１ｂの一方には、上方に突出する突片１３１ｄが形成されている。この突片１３１ｄは、中継端子１３を空間へ挿入するときに、先端が溝部１２１ａや溝部１２２ａを通過したり、溝部１４５ａに収容されたりする部位である。
【００６１】
また、天壁１３１ｃの後端には、後方に突出する抜け止め片１３１ｅが形成されている。この抜け止め片１３１ｅは、上下方向に弾性変形可能に形成されており、中継端子１３を第１空間Ｓ２に挿入させた状態（挿入完了状態）で、後端が突き当て片１２１ｂに突き当たるようになっている。また、中継端子１３を第２空間Ｓ３に挿入させた場合（挿入完了状態とした場合）には、後端が突き当て片１２２ｂに突き当たるようになっている。
【００６２】
ここで、本実施形態では、前後方向の前方から視た状態（中継端子１３の空間への挿入方向に沿って視た状態）で、接点部１３３が前後方向に延在させた電線１Ａの中心から外れた位置に形成されている（図１１（ｄ）参照）。
【００６３】
そして、第１空間Ｓ２に挿入される中継端子１３を、第１空間Ｓ２が第２空間Ｓ３の上方に位置するように後側ハウジング１２を配置した場合に、接点部１３３が下側となるようにした状態で第１空間Ｓ２に挿入されるようにしている。
【００６４】
一方、第２空間Ｓ３に挿入される中継端子１３は、第１空間Ｓ２が第２空間Ｓ３の上方に位置するように後側ハウジング１２を配置した場合に、接点部１３３が上側に位置するようにした状態で第２空間Ｓ３に挿入されるようにしている。
【００６５】
すなわち、第２空間Ｓ３に挿入される中継端子１３は、第１空間Ｓ２に挿入される中継端子１３を、電線１Ａの軸方向を中心として反転（１８０度回転）させた状態で、第２空間Ｓ３に挿入されている。さらに、第１空間Ｓ２に挿入される中継端子１３の接点部１３３と、第２空間Ｓ３に挿入される中継端子１３の接点部１３との上下方向の距離（最短距離）が、電線１Ａの中心間の上下方向の距離（最短距離）よりも小さくなるようにしている。
【００６６】
さらに、端子本体部１３１の周壁には、上記のように中継端子１３を空間に挿入した場合に、上方に開口する第１挿通孔１３１ｆと、下方に開口する第２挿通孔１１ｇと、が形成されている。本実施形態では、第１挿通孔１３１ｆおよび第２挿通孔１３１ｇは、平面視で互いに上下方向に対向するように形成されている。すなわち、第１挿通孔１３１ｆおよび第２挿通孔１３１ｇは、平面視で、前後方向および幅方向で同じ位置となるように形成されている。
【００６７】
そして、リテーナ本体１４０を上下方向の下方（一方向）にスライドさせた際に、リテーナ本体１４０に形成された第１規制突部１４１ａが第１挿通孔１３１ｆおよび第２挿通孔１３１ｇのうちのいずれか一方（第１挿通孔１３１ｆ）に挿入されるようにしている。さらに、リテーナ本体１４０に形成された第２規制突部１４２ａが他方（第２挿通孔１３１ｇ）に挿入されるようにしている。
【００６８】
こうすることで、１つのリテーナ１４を一方側（下方）にスライドさせるだけで、第１空間Ｓ２に挿入された中継端子１３の抜けと、第２空間Ｓ３に挿入された中継端子１３の抜けと、をリテーナ１４によって同時に規制することができるようになる。
【００６９】
また、１つのリテーナ１４を他方側（上方）にスライドさせるだけで、第１空間Ｓ２に挿入された中継端子１３の抜けの規制と、第２空間Ｓ３に挿入された中継端子１３の抜けの規制と、を同時に解除することができるようになる。
【００７０】
なお、中継端子１３をそれぞれの空間（第１空間Ｓ２や第２空間Ｓ３）に挿入した状態では、接点部１３３が嵌合空間Ｓ１内に配置されることとなる。
【００７１】
次に、レセプタクルコネクタ１の組み付け方法の一例を説明する。なお、レセプタクルコネクタ１の組み付け方法は下記に示す方法に限られるものではない。
【００７２】
まず、図１２に示すように、後側ハウジング１２にリテーナ１４を、上部が天壁１２１よりも上方に突出するように装着する。このとき、挿通孔１４５が第１空間Ｓ２とそれぞれ連通するようにした状態で、リテーナ本体１４０をリテーナ収容空間Ｓ４に収容している。
【００７３】
また、後側ハウジング１２の空間に挿入される複数の中継端子１３に電線１Ａを接続させる（図１０，図１１参照）。
【００７４】
なお、リテーナ本体１４０の後側ハウジング１２への装着と、複数の中継端子１３への電線１Ａの接続は、いずれかを先に行ってもよいし、同時に行ってもよい。
【００７５】
次に、図１３に示すように、後側ハウジング１２の空間に、電線１Ａが接続された中継端子１３を挿入する。このとき、第２空間Ｓ３には、第１空間Ｓ２に挿入される中継端子１３を、電線１Ａの軸方向を中心として反転（１８０度回転）させた状態とした中継端子１３が挿入されるようにしている。さらに、第１空間Ｓ２に挿入される中継端子１３の接点部１３３と、第２空間Ｓ３に挿入される中継端子１３の接点部１３３との上下方向の距離（最短距離）が、電線１Ａの中心間の上下方向の距離（最短距離）よりも小さくなるようにしている。
【００７６】
そして、中継端子１３を第１空間Ｓ２に挿入させた状態（挿入完了状態）で、第１挿通孔１３１ｆを第１規制突部１４１ａと対向させ、中継端子１３を第２空間Ｓ３に挿入させた状態（挿入完了状態）で、第２挿通孔１３１ｇを第２規制突部１４２ａと対向させる。
【００７７】
次に、リテーナ本体１４０を下方にスライドさせて、リテーナ１４がリテーナ収容空間Ｓ４内に収容されるようにする。こうすることで、リテーナ本体１４０に形成された第１規制突部１４１ａが第１挿通孔１３１ｆに挿入され、第２規制突部１４２ａが第２挿通孔１３１ｇに挿入されることとなる。
【００７８】
こうして、第１空間Ｓ２に挿入された中継端子１３の抜けと、第２空間Ｓ３に挿入された中継端子１３の抜けと、がリテーナ１４によって同時に規制されたレセプタクルコネクタ１が形成される（図１５，図１７，図１９参照）。
【００７９】
このような構成をしたレセプタクルコネクタ１に上述のプラグコネクタ２を嵌合させると、プラグコネクタ２のロック部２２がレセプタクルハウジング１０の天壁１１１の幅方向中央部に挿入されることとなる。そして、プラグハウジング２１が前側ハウジング１１の嵌合空間Ｓ１に挿入されることとなる。
【００８０】
具体的には、レバー部２２１に形成された係合突部２２１ｂが前側ハウジング１１の天壁１１１により下方に押圧されることになる。このように、係合突部２２１ｂが天壁１１１により下方に押圧されると、レバー部２２１の後端部（操作部２２１ａ）が下方に移動するように弾性変形して、係合突部２２１ｂが嵌合空間Ｓ１の奥側まで移動できるようになる。
【００８１】
そして、係合突部２２１ｂを嵌合空間Ｓ１の奥側まで移動させると、天壁１１１による係合突部２２１ｂの下方への押圧が解除されて、レバー部２２１の弾性復元力により係合突部２２１ｂが上方に移動する。そして、係合突部２２１ｂが上方に移動することで、レセプタクルコネクタ１に形成された被係合部１１１ｂに係合して、プラグコネクタ２とレセプタクルコネクタ１とが嵌合状態でロックされることになる。
【００８２】
また、プラグコネクタ２をレセプタクルコネクタ１に嵌合させる途中で、第２空間Ｓ３に挿入された中継端子１３の接点部１３３の先端が、プラグハウジング２１内に導入されて、第１プラグ端子２３の接点部２３０ａに接触する。なお、本実施形態では、略棒状の接点部１３３が一対の接触片２３８，２３８の間に挿入され、一対の接触片２３８，２３８によって挟持されることで、第１プラグ端子２３と中継端子１３とを導通接続させている（図３（ａ）参照）。
【００８３】
同様に、第１空間Ｓ２に挿入された中継端子１３の接点部１３３の先端が、プラグハウジング２１内に導入されて、第２プラグ端子２４の接点部２４０ａに接触する。なお、本実施形態では、略棒状の接点部１３３が一対の接触片２４８，２４８の間に挿入され、一対の接触片２４８，２４８によって挟持されることで、第２プラグ端子２４と中継端子１３とを導通接続させている（図３（ｂ）参照）。
【００８４】
このように、プラグコネクタ２をレセプタクルコネクタ１に嵌合させて、端子２３，２４と中継端子１３とを導通接続させることで、ケーブル１Ａと電線１Ａとを電気的に接続させるコネクタセットＣ１が形成される。
【００８５】
一方、プラグコネクタ２をレセプタクルコネクタ１から取り外す際には、まず、レバー部２２１の操作部２２１ａを押し下げて、レバー部２２１を下方に移動させる。こうすることで、係合突部２２１ｂも下方に移動し、係合突部２２１ｂと被係合部１１１ｂとの係合が解除される。そして、係合突部２２１ｂと被係合部１１１ｂとの係合を解除した状態で、プラグコネクタ２をレセプタクルコネクタ１に対して抜去方向に引っ張ると、プラグコネクタ２がレセプタクルコネクタ１に対して抜去方向に相対移動することとなる。
【００８６】
このように、プラグコネクタ２をレセプタクルコネクタ１に対して抜去方向に相対移動させると、まず、端子同士の導通接続が解除され、その後に、ハウジング同士の嵌合が解除されることとなる。こうして、プラグコネクタ２がレセプタクルコネクタ１から取り外されることになる。
【００８７】
以上説明したように、本実施形態にかかるレセプタクルコネクタ（コネクタ）１は、電線１Ａが接続される複数の中継端子（端子）１３と、中継端子１３が挿入される空間が複数形成されたレセプタクルハウジング（ハウジング）１０と、を備えている。また、レセプタクルコネクタ１は、レセプタクルハウジング１０に装着されて中継端子１３のレセプタクルハウジング１０からの抜けを規制するリテーナ１４を備えている。
【００８８】
また、中継端子１３は、中継端子１３の空間への挿入方向（Ｘ方向）に延在する周壁を有する端子本体部１３１を備えている。さらに、中継端子１３は、端子本体部１３１の挿入方向一方側に連設される接点部１３３と、端子本体部１３１の挿入方向他方側に連設され、電線１Ａが接続される電線接続部１３４と、を備えている。
【００８９】
ここで、接点部１３３は、挿入方向（Ｘ方向）に沿って視た状態で、挿入方向に延在させた電線１Ａの中心から外れた位置に形成されている。また、空間は、挿入方向（Ｘ方向）が水平方向となるように配置したレセプタクルハウジング１０の上側および下側にそれぞれ形成される第１空間Ｓ２および第２空間Ｓ３を備えている。
【００９０】
そして、第１空間Ｓ２に挿入される中継端子１３は、第１空間Ｓ２が第２空間Ｓ３の上方に位置するようにレセプタクルハウジング１０を配置した場合に、接点部１３３を下側に位置させた状態で第１空間Ｓ２に挿入されている。また、第２空間Ｓ３に挿入される中継端子１３は、第１空間Ｓ２が第２空間Ｓ３の上方に位置するようにレセプタクルハウジング１０を配置した場合に、接点部１３３を上側に位置させた状態で第２空間Ｓ３に挿入されている。
【００９１】
さらに、挿入方向（Ｘ方向）が水平方向となり、接点部１３３が下側に位置するように中継端子１３を配置した場合に、中継端子１３の周壁には、上方に開口する第１挿通孔１３１ｆと、下方に開口する第２挿通孔１３１ｇと、が形成されている。
【００９２】
また、リテーナ１４は、第１空間Ｓ２が第２空間Ｓ３の上方に位置するようにレセプタクルハウジング１０を配置した場合に、レセプタクルハウジング１０に上下方向にスライド可能に装着されるリテーナ本体１４０を備えている。
【００９３】
このリテーナ本体１４０には、リテーナ本体１４０を下側（上下方向の一方側）にスライドさせた際に、第１空間Ｓ２に挿入された中継端子１３の抜けを規制する第１規制突部１４１ａと、第２空間Ｓ３に挿入された中継端子１３の抜けを規制する第２規制突部１４２ａと、が形成されている。
【００９４】
そして、リテーナ本体１４０を下側にスライドさせた際に、第１規制突部１４１ａが第１空間Ｓ２に挿入された中継端子１３の第１挿通孔１３１ｆに挿入されるようにしている。このとき、リテーナ本体１４０の第２規制突部１４２ａが、第２空間Ｓ３に挿入された中継端子１３の第２挿通孔１３１ｇに挿入されるようにしている。
【００９５】
このように、複数の中継端子１３をレセプタクルハウジング１０の上下２段に形成された空間に挿入させることで、レセプタクルハウジング１０の幅方向の小型化を図ることができる。
【００９６】
また、複数の中継端子１３は、接点部１３３間の上下方向の距離が小さくなるようにした状態（互いに反転させた状態）で、レセプタクルハウジング１０の上下に挿入されている。こうすれば、幅方向に小型化させたレセプタクルハウジング１０の高さが高くなってしまうことを抑制することができるようになる。
【００９７】
このように、本実施形態にかかるレセプタクルコネクタ１の構成とすることで、レセプタクルコネクタ１の小型化を図ることができる。
【００９８】
さらに、本実施形態では、中継端子１３に第１挿通孔１３１ｆおよび第２挿通孔１３１ｇを形成しているため、１つのリテーナ１４をスライドさせるだけで、上下に挿入された中継端子１３の抜け止めを行うことが可能となる。その結果、レセプタクルコネクタ１の構成の簡素化を図ることができる。
【００９９】
このように、本実施形態によれば、小型化を図りつつ、より簡素な構成とすることのできるレセプタクルコネクタ１を得ることができる。
【０１００】
また、本実施形態では、レセプタクルハウジング１０を挿入方向（Ｘ方向）に沿って視た状態で、第１空間Ｓ２と第２空間Ｓ３とが千鳥状に形成されている。
【０１０１】
こうすれば、第１空間Ｓ２および第２空間Ｓ３に挿入された中継端子１３の接点部１３３も千鳥状に配置されることになって、接点部１３３間の絶縁距離を確保しつつ高さ方向の距離を縮めることができるようになる。その結果、レセプタクルコネクタ１のより一層の小型化を図ることができるようになる。
【０１０２】
以上、本開示の好適な実施形態について説明したが、本開示は上記実施形態およびその変形例には限定されず、種々の変形が可能である。
【０１０３】
例えば、上記実施形態では、ケーブルに実装されたプラグコネクタが嵌合するレセプタクルコネクタを例示したが、回路基板に実装されたプラグコネクタが嵌合するレセプタクルコネクタとすることもできる。
【０１０４】
また、プラグコネクタ側に本開示を適用させてもよい。
【０１０５】
また、ハウジングや端子、その他細部のスペック（形状、大きさ、レイアウト等）も適宜に変更可能である。
【符号の説明】
【０１０６】
１  レセプタクルコネクタ（コネクタ）
１０  レセプタクルハウジング（ハウジング）
１３  中継端子
１３１  端子本体部
１３１ｆ  第１挿通孔
１３１ｇ  第２挿通孔
１３３  接点部
１３４  電線接続部
１４  リテーナ
１４０  リテーナ本体
１４１ａ  第１規制突部
１４２ａ  第２規制突部
Ｓ２  第１空間
Ｓ３  第２空間
１Ａ  電線
【図１】
2019192613.tif 000003
【図２】
2019192613.tif 000004
【図３】
2019192613.tif 000005
【図４】
2019192613.tif 000006
【図５】
2019192613.tif 000007
【図６】
2019192613.tif 000008
【図７】
2019192613.tif 000009
【図８】
2019192613.tif 000010
【図９】
2019192613.tif 000011
【図１０】
2019192613.tif 000012
【図１１】
2019192613.tif 000013
【図１２】
2019192613.tif 000014
【図１３】
2019192613.tif 000015
【図１４】
2019192613.tif 000016
【図１５】
2019192613.tif 000017
【図１６】
2019192613.tif 000018
【図１７】
2019192613.tif 000019
【図１８】
2019192613.tif 000020
【図１９】
2019192613.tif 000021